(57)【要約】【課題】竪樋が上下に分断されたものでなくとも、取り付けることができ、またその取付施工が簡単な取排水部材を提案する。【解決手段】本発明は、竪樋２に取り付けて、竪樋２を流れる雨水を取水して貯水タンク３へ送り、貯水タンク３のオーバーフロー水を竪樋２へと排水するための取排水部材１である。取排水部材本体１０の上部には、竪樋２に設けた雨水取出孔２０に接続される取水口部１１と、取水口部１１から取り入れた雨水を貯水タンク３側に流すための搬出口部１２とを備える。そして、取排水部材本体１０の下部には、貯水タンク３側に接続されるオーバーフロー水受け口部１３と、オーバーフロー水受け口部１３から取り入れたオーバーフロー水を、竪樋２に設けた戻し孔２１に流すための排水口部１４とを備える。【選択図】図１
2013068002.tif 000002
【特許請求の範囲】
【請求項１】
竪樋に取り付けて、前記竪樋を流れる雨水を取水して貯水タンクへ送り、前記貯水タンクのオーバーフロー水を前記竪樋へと排水するための取排水部材であって、
取排水部材本体の上部に、前記竪樋に設けた雨水取出孔に接続される取水口部と、
前記取水口部から取り入れた雨水を前記貯水タンク側に流すための搬出口部とを備え、
前記取排水部材本体の下部に、前記貯水タンク側に接続されるオーバーフロー水受け口部と、前記オーバーフロー水受け口部から取り入れた前記オーバーフロー水を、前記竪樋に設けた戻し孔に流すための排水口部とを備えることを特徴とする取排水部材。
【請求項２】
前記取水口部と前記排水口部とは、略同方向に向けて突出する筒状をなすことを特徴とする請求項１に記載の取排水部材。
【発明の詳細な説明】
【技術分野】
【０００１】
本発明は、竪樋に取り付けて、竪樋を流れる雨水を取水して貯水タンクへ送り、貯水タンクのオーバーフロー水を竪樋へと排水するための取排水部材に関するものである。
【背景技術】
【０００２】
従来から、特許文献１等によって、竪樋を流れる雨水を取水して貯水タンクへ送るための雨水取水部材と、貯水タンクのオーバーフロー水を竪樋へと排水するためのオーバーフロー水排水部材とが提案されている。
【０００３】
図３に示すように、雨水取水部材９０は、竪樋２の上部に取り付けられて、竪樋２を流れる雨水を取水して貯水タンク３へ送る。そして、オーバーフロー水排水部材９１は、竪樋２の下部に取り付けられて、貯水タンク３のオーバーフロー水を受けて竪樋２へと排水する。
【０００４】
雨水取水部材９０は、上下に分断された竪樋２，２間に装着される。また、オーバーフロー水排水部材９１も、上下に分断された別の竪樋２，２間に装着される。
【先行技術文献】
【特許文献】
【０００５】
【特許文献１】特開２０１０−５３５２１号公報
【発明の概要】
【発明が解決しようとする課題】
【０００６】
しかし上述の雨水取水部材９０とオーバーフロー水排水部材９１を竪樋２に取り付けるためには、上下に分断された竪樋２，２間に装着しなければならず、またそれぞれ別々の竪樋２，２間に装着しなければならないため、取付施工が手間であるという問題があった。
【０００７】
そこで、上記事情を鑑みて、本発明は、竪樋が上下に分断されたものでなくとも、取り付けることができ、またその取付施工が簡単な取排水部材を提案することを課題とする。
【課題を解決するための手段】
【０００８】
上記課題を解決する本発明は、竪樋に取り付けて、前記竪樋を流れる雨水を取水して貯水タンクへ送り、前記貯水タンクのオーバーフロー水を前記竪樋へと排水するための取排水部材であって、取排水部材本体の上部に、前記竪樋に設けた雨水取出孔に接続される取水口部と、前記取水口部から取り入れた雨水を前記貯水タンク側に流すための搬出口部とを備え、前記取排水部材本体の下部に、前記貯水タンク側に接続されるオーバーフロー水受け口部と、前記オーバーフロー水受け口部から取り入れた前記オーバーフロー水を、前記竪樋に設けた戻し孔に流すための排水口部とを備えることを特徴とする。
【０００９】
また、前記取水口部と前記排水口部とは、略同方向に向けて突出する筒状をなすことが好ましい。
【発明の効果】
【００１０】
本発明の雨水取出し装置は、竪樋が上下に分断されたものでなくとも、取り付けることができ、またその取付施工が簡単である。
【図面の簡単な説明】
【００１１】
【図１】本発明の実施形態の取排水部材を示し、（ａ）は取排水部材を竪樋に取り付けた状態の正面図であり、（ｂ）は同状態の正面断面図であり、（ｃ）は取排水部材の平面図である。
【図２】同上の取排水部材によって竪樋と貯水タンクとを接続した状態を示す正面図である。
【図３】従来例の雨水取水部材とオーバーフロー水排水部材とによって、竪樋と貯水タンクとを接続した状態を示す正面図である。
【発明を実施するための形態】
【００１２】
本発明を添付図面に示す実施形態に基づいて説明する。
【００１３】
図１には、本実施形態の取排水部材１が記載されている。取排水部材１は、図２に示すように、竪樋２に取り付けて、竪樋２を流れる雨水を取水して貯水タンク３へ送り、貯水タンク３のオーバーフロー水を竪樋２へと排水するためのものである。
【００１４】
竪樋２は、角樋であって、図１（ｂ）に示すように、雨水取出孔２０が竪樋２内外を連通するように貫通しており、雨水取出孔２０の下方に、戻し孔２１が竪樋２内外を連通するように貫通している。雨水取出孔２０と戻し孔２１とは、竪樋２を略同方向に貫通する円状孔であって、上下に並んで位置している。なお、竪樋２は、丸樋であってもかまわない。また、雨水取出孔２０と戻し孔２１とは、矩形状孔であってもかまわない。
【００１５】
図２に示すように、貯水タンク３の上端部には、取排水部材１の上部の搬出口部１２に流入管５を通じて連通される流入口３０と、取排水部材１の下部のオーバーフロー水受け口部１３に流出管６を通じて連通される流出口３１とが設けられている。流入口３０は、取排水部材１の搬出口部１２よりも低い位置に設けられており、流出口３１は、取排水部材１のオーバーフロー水受け口部１３よりも高い位置に設けられている。また、流出口３１は、流入口３０と同じ高さかあるいはそれ以下の高さに設けられる。ここで、流出口３１の下端の高さが、貯水タンク３内に最大水量を溜めたときの喫水線の高さとなる。上述したような高さ関係とすることで、竪樋２から取水した雨水が、搬出口部１２から流入管５を通じて流入口３０へと流れ、貯水タンク３よりオーバーフローしたオーバーフロー水が流出口３１から流出管６を通じてオーバーフロー水受け口部１３へと流れる。流入管５と流出管６とは、フレキシブルホース等が好適に用いられるが、フレキシブルでない硬質管であってもかまわない。なお、貯水タンク３は、流入管５や流出管６を介さずに直接、取排水部材１に接続されるものであってもかまわない。
【００１６】
取排水部材１は、図１（ｂ）に示すように、取排水部材本体１０の上部に、竪樋２の雨水取出孔２０に接続される取水口部１１と、取水口部１１から取り入れた雨水を貯水タンク３側に流すための搬出口部１２とを備える。そして、取排水部材本体１０の下部に、貯水タンク３側に接続されるオーバーフロー水受け口部１３と、オーバーフロー水受け口部１３から取り入れたオーバーフロー水を、竪樋２の戻し孔２１に流すための排水口部１４とを備える。
【００１７】
取排水部材本体１０は、有底筒状部材の上方の開口を蓋１５で閉じたものである。有底筒状部材の内部は、仕切壁１６によって上下に仕切られている。この仕切壁１６よりも上方の部分が、取水口部１１と搬出口部１２とを備える雨水取水部１７であり、仕切壁１６よりも下方の部分が、オーバーフロー水受け口部１３と排水口部１４とを備えるオーバーフロー水排水部１８である。
【００１８】
取排水部材本体１０は、図１（ｃ）に示すように、竪樋２に装着される側の装着側壁７１が、竪樋２に安定して位置決めできるよう竪樋２に沿った形状（平面視略直線状）となっている。なお、竪樋２が丸樋である場合には、装着側壁７１を平面視略円弧状に形成して、位置決めの安定性を向上させてもよいし、平面視略直線状であってもよい。
【００１９】
そして、取排水部材本体１０は、竪樋２に固定するための固定用バンド４を備えている。本実施形態では、取排水部材本体１０のうち、雨水取水部１７部分を竪樋２に固定する固定用バンド４と、オーバーフロー水排水部１８部分を竪樋２に固定する固定用バンド４の２つの固定用バンド４を備えている。固定用バンド４は、様々な太さや形状の竪樋２に取排水部材本体１０を固定可能とするためにアジャスト可能に設けられている。アジャスト可能とするための構造としては、一般的な構造が用いられる。例えば、一端が取排水部材本体１０に固定された２本のバンド４０，４１の端部同士を係合させる構造がある。詳しくは、固定用バンド４を２本のバンド４０，４１で構成し、両バンド４０，４１の一端を取排水部材本体１０に固定し、一方のバンド４１の他端に係止用爪４２を設け、他方のバンド４０の他端に複数の係止用孔４３をバンド長手方向に並べて設ける。そして、係止用孔４３の１つに係止用爪４２を係止する。このような構造によれば、様々な太さや形状の竪樋２に合わせて、バンド長さを調節できる。
【００２０】
取排水部材本体１０の上部の雨水取水部１７は、図１（ｂ）に示すように、上端部に蓋１５が、着脱自在に装着されている。竪樋２に装着される側の装着側壁７１には、竪樋２の雨水取出孔２０に差し込むための筒状の取水口部１１が設けられている。筒状の取水口部１１の先端面は、下端側ほど先端側に突出するように傾斜している。このように傾斜させることで、取水口部１１は雨水取出孔２０に差し込みやすくなっている。また、筒状の取水口部１１の外周には、雨水取出孔２０と取水口部１１との接続箇所からの水漏れを防止するための、環状のシール用パッキン８が取り付けられる。このシール用パッキン８を装着して取水口部１１を雨水取出孔２０に差し込んだ状態で、取水口部１１の先端の下端部が、竪樋２の内周面よりも竪樋２の内側に突出するように形成されている。取水口部１１の先端の上端部は、竪樋２の内周面と略同じ位置となるように形成されている。これにより、取水口部１１の先端の下端部が、竪樋２の内周面に沿って流れる雨水を受ける雨水受け部１９をなす。なお、本実施形態では、取水口部１１は、雨水取出孔２０の形状に対応して、円筒状である。
【００２１】
また、雨水取水部１７の装着側壁７１と反対側の周壁７０には、雨水取水部１７の外部に向けて突出する筒状の搬出口部１２が設けられている。この搬出口部１２に貯水タンク３の流入口３０に連通する流入管５が接続される。搬出口部１２は、取水口部１１よりも下方に設けられている。これにより、取水口部１１で受けた竪樋２を流れる雨水が、搬出口部１２へと流れる。さらに、本実施形態では、取水した雨水に含まれるごみを濾過するためのフィルタ１００が雨水取水部１７内に着脱自在に設けられている。フィルタ１００は搬出口部１２を覆っており、搬出口部１２には、このフィルタ１００によって濾過された雨水が通過する。なお、蓋１５を取り外すことで、フィルタ１００の汚れ具合を確認することができ、新しいフィルタ１００と交換することも可能である。
【００２２】
取排水部材本体１０の下部のオーバーフロー水排水部１８は、図１（ｂ）に示すように、竪樋２に装着される側の装着側壁７１に、竪樋２の戻し孔２１に差し込むための筒状の排水口部１４が設けられている。筒状の排水口部１４の先端面は、上端側ほど先端側に突出するように傾斜している。このように傾斜させることで、排水口部１４は戻し孔２１に差し込みやすくなっている。また、排水口部１４の外周にも、戻し孔２１と排水口部１４との接続箇所からの水漏れを防止するための、環状のシール用パッキン８が取り付けられる。このシール用パッキン８を装着して排水口部１４を戻し孔２１に差し込んだ状態で、排水口部１４の先端の上端部が、竪樋２の内周面よりも竪樋２の内側に突出するように形成されている。排水口部１４の先端の下端部は、竪樋２の内周面と略同じ位置となるように形成されている。これにより、この排水口部１４の先端の上端部が、竪樋２の内周面を流れる雨水が戻し孔２１を介して排水口部１４内に流れ込むことを防止する水避けとなる。なお、本実施形態では、排水口部１４は、戻し孔２１の形状に対応して、円筒状である。
【００２３】
また、オーバーフロー水排水部１８の装着側壁７１と反対側の周壁７０には、オーバーフロー水排水部１８の外部に向けて突出する筒状のオーバーフロー水受け口部１３が設けられている。このオーバーフロー水受け口部１３に貯水タンク３の流出口３１に連通する流出管６が接続される。排水口部１４は、オーバーフロー水受け口部１３と同じ高さか、それよりも下方に設けられている。これにより、オーバーフロー水受け口部１３で受けた貯水タンク３からのオーバーフロー水が、排水口部１４へと流れる。
【００２４】
さらに、本実施形態では、雨水取水部１７に形成した筒状の取水口部１１と、オーバーフロー水排水部１８に形成した筒状の排水口部１４とは、略同方向に向けて突出している。そして、この取水口部１１と排水口部１４とは、雨水取出孔２０と戻し孔２１の位置関係と同じで、上下に並んで位置している。
【００２５】
続いて、上述した取排水部材１を竪樋２と貯水タンク３に装着する施工手順の一例について説明する。
【００２６】
まず、竪樋２のうち、取排水部材１の取水口部１１と排水口部１４とに対応する箇所に、雨水取出孔２０と戻し孔２１とを貫通させる。次に、取排水部材１の取水口部１１と排水口部１４とがそれぞれ、竪樋２の雨水取出孔２０と戻し孔２１に対向するように取排水部材１を配置する。そして、取水口部１１と排水口部１４とをそれぞれ、雨水取出孔２０と戻し孔２１とに差し込む。そして、取排水部材１の固定用バンド４で、取排水部材１を竪樋２に固定する。なお、フィルタ１００は、取排水部材１の雨水取水部１７の内部に設置しておくとともに、蓋１５で取排水部材１の雨水取水部１７の上端を閉じておく。
【００２７】
そして、取排水部材１の雨水取水部１７の搬出口部１２に、貯水タンク３の流入口３０に一端を接続した流入管５の他端を接続する。そして、取排水部材１のオーバーフロー水排水部１８のオーバーフロー水受け口部１３に、貯水タンク３の流出口３１に一端を接続した流出管６の他端を接続する（図２参照）。
【００２８】
以上のように取排水部材１を竪樋２と貯水タンク３に装着することによって、竪樋２の内周面に沿って流れる雨水を、取水口部１１の水受け部１９で受けて、取水口部１１を介して雨水取水部１７内に招き入れ、フィルタ１００で濾過し、濾過した雨水を搬出口部１２、流入管５、流入口３０を介して貯水タンク３へと流入させる。これにより、貯水タンク３内に、竪樋２を流れる雨水を溜めることができる。貯水タンク３内に雨水が所定量以上溜まると、流出口３１からオーバーフローする。このオーバーフロー水は、流出管６、オーバーフロー水受け口部１３を介してオーバーフロー水排水部１８内に流入する。そして、このオーバーフロー水排水部１８内に流入したオーバーフロー水は、排水口部１４、戻し孔２１を介して竪樋２内に排水される。
【００２９】
上述したように、本実施形態では、従来例のように取排水部材１が２つの部材に分かれていないので、竪樋２への取排水部材１の取り付けが一度に行えて簡単である。また、取排水部材１は竪樋２に対して、筒状の取水口部１１及び排水口部１４と対応する形状の雨水取出孔２０及び戻し孔２１との接続と、アジャスト可能な固定用バンド４による固定によって装着可能である。そのため、本実施形態の取排水部材１は、竪樋２の太さや形状に制約されにくく、様々な竪樋２に対して装着可能である。
【００３０】
また、本実施形態では、取排水部材１の筒状の取水口部１１と排水口部１４とは、略同方向に向けて突出しており、竪樋２の雨水取出孔２０と戻し孔２１とは略同じ方向に向けて貫通している。そのため、取排水部材１を一方向に差し込むだけで、取水口部１１を雨水取出孔２０に接続し、排水口部１４を戻し孔２１に接続することができるので、取排水部材１の竪樋２に対する装着が簡単である。
【００３１】
なお、取排水部材１の取水口部１１と排水口部１４とをフレキシブルな筒で形成して、竪樋２の雨水取出孔２０と戻し孔２１とにそれぞれ接続するようにしてもかまわない。このようにすれば、竪樋２に設ける雨水取出孔２０と戻し孔２１の位置精度を低くできる。
【００３２】
以上まとめると、本実施形態の取排水部材１は、竪樋２に取り付けて、竪樋２を流れる雨水を取水して貯水タンク３へ送り、貯水タンク３のオーバーフロー水を竪樋２へと排水するためのものである。取排水部材本体１０の上部には、竪樋２に設けた雨水取出孔２０に接続される取水口部１１と、取水口部１１から取り入れた雨水を貯水タンク３側に流すための搬出口部１２とを備える。そして、取排水部材本体１０の下部には、貯水タンク３側に接続されるオーバーフロー水受け口部１３と、オーバーフロー水受け口部１３から取り入れたオーバーフロー水を、竪樋２に設けた戻し孔２１に流すための排水口部１４とを備える。
【００３３】
このような構成とすることで、竪樋２に雨水取出孔２０と戻し孔２１を設け、雨水取出孔２０に取排水部材本体１０上部の取水口部１１を接続し、戻し孔２１に取排水部材本体１０下部の排水口部１４を接続することによって、取排水部材１を竪樋２に装着できる。そして、取排水部材本体１０の上部の搬出口部１２を貯水タンク３側に接続し、取排水部材本体１０の下部のオーバーフロー水受け口部１３を貯水タンク３側に接続することで、取排水部材１を貯水タンク３側に接続できる。以上のように、竪樋２と貯水タンク３とを取排水部材１で接続することで、竪樋２を流れる雨水を取水して貯水タンク３へ送り、貯水タンク３のオーバーフロー水を受けて竪樋２へと排水することができる。
【００３４】
このように、本実施形態の取排水部材１は、従来例のように竪樋２に取水用と排水用の部材をそれぞれ取り付けなくてもよく、竪樋２への取排水部材１の取り付けが一度に行えて簡単である。また、本実施形態の取排水部材１は、竪樋２に孔を設けて、竪樋２の外側に装着するだけでよいので、従来例のように上下に分断された竪樋２，２間に取り付ける必要がない。これにより、様々な形状や太さの竪樋２に対して本実施形態の取排水部材１を装着させることができる。よって、本実施形態の取排水部材１は、竪樋２が上下に分断されたものでなくとも、取り付けることができ、またその取付施工が簡単である。
【００３５】
また、本実施形態の取排水部材１では、取水口部１１と排水口部１４とは、略同方向に向けて突出する筒状をなしている。
【００３６】
このような構成とすることで、竪樋２のうち取水口部１１と排水口部１４に対応する箇所に、雨水取出孔２０と戻し孔２１とを同方向に向けて貫通するように設ければ、取排水部材１を一方向に差し込むだけで取排水部材１を竪樋２に取排水可能な状態で装着できる。よって、取排水部材１の竪樋２に対する装着がより簡単となる。
【００３７】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３８】
１      取排水部材
１０    取排水部材本体
１１    取水口部
１２    搬出口部
１３    オーバーフロー水受け口部
１４    排水口部
２      竪樋
２０    雨水取出孔
２１    戻し孔
３      貯水タンク
【図１】
2013068002.tif 000003
【図２】
2013068002.tif 000004
【図３】
2013068002.tif 000005